(57)【要約】      （修正有）【課題】開き戸と対向部との間隔を狭くしても、開き戸を閉鎖する際の指が挟まり難い開き戸の召し合わせ構造を提供する。【解決手段】開口部を閉鎖する開き戸１０と、開き戸が閉鎖状態のときの開き戸の戸先部１１０と対向する対向部３２とによる開き戸の召し合わせ構造において、戸先部と対向部との幅方向Ｆ３の中央部から対向方向へ、軟質部材による召し合わせ部１２０が、開き戸が閉鎖状態のときの前後方向Ｆ７から見て、互いに重なるように、それぞれ突出して形成され、戸先部と対向部との幅方向の両端部１１１、３２１が、上下方向に沿って円弧面により形成されている。【選択図】図３
0003199138.tif 000002
【実用新案登録請求の範囲】
【請求項１】
開口部を閉鎖する開き戸と、前記開き戸が閉鎖状態のときの前記開き戸の戸先部と対向する対向部とによる開き戸の召し合わせ構造において、
前記開き戸の戸先部と前記対向部との幅方向の中央部から対向方向へ、軟質部材による召し合わせ部が、前記開き戸が閉鎖状態のときの前後方向から見て、互いに重なるように、それぞれ突出して形成され、
前記戸先部と前記対向部との幅方向の両端部が、上下方向に沿って凸状の円弧面により形成された開き戸の召し合わせ構造。
【請求項２】
前記戸先部側の前記召し合わせ部は、幅方向の一側に寄った位置から突出し、前記対向部側の前記召し合わせ部は、幅方向の他側に寄った位置から突出した請求項１記載の開き戸の召し合わせ構造。
【請求項３】
前記戸先部側の前記召し合わせ部は、一側方向に傾斜して突出し、
前記対向部側の前記召し合わせ部は、他側方向に傾斜して突出した請求項２記載の開き戸の召し合わせ構造。
【請求項４】
前記開き戸が閉鎖状態のときに、前記戸先部側の前記召し合わせ部と、前記対向部側の前記召し合わせ部との間に隙間が形成される請求項１から３のいずれかの項に記載の開き戸の召し合わせ構造。
【請求項５】
前記召し合わせ部は、中空部材により形成された請求項１から４のいずれかの項に記載の開き戸の召し合わせ構造。
【請求項６】
前記召し合わせ部は、頂部を対向方向に突出させた、水平断面が三角形状に形成されている請求項１から５のいずれかの項に記載の開き戸の召し合わせ構造。
【請求項７】
前記戸先部および前記対向部の幅方向の中央部には、上下方向に延びる嵌合溝が形成され、
前記召し合わせ部は、頂部を対向方向に突出させた突起部と、前記突起部の基端部に形成され、前記嵌合溝に嵌合する嵌合部とを備えた請求項１から６のいずれかの項に記載の開き戸の召し合わせ構造。
【考案の詳細な説明】
【技術分野】
【０００１】
本考案は、召し合わせ部分を有する開き戸の召し合わせ構造に関するものである。
【背景技術】
【０００２】
開き戸は、映画館の劇場内への入退出に使用される扉や、玄関の扉に使用される際には、他の開き戸と共に、開口部に両開き戸として一対設けられ、観音開きする。また、開き戸は、壁面の開口部に設けられた戸枠に、一枚のみが片開き戸として配置される場合がある。更に、開き戸は、トイレブースでは、トイレブースの仕切りパネルに形成された両側壁による正面側の開口部に、袖パネルと共に使用される。
【０００３】
開き戸は、戸尻側の上部と下部に設けられた軸や枢、戸枠に取り付けられたヒンジを中心として、戸先が円弧状に移動して、通行者の前後に開く。
そのため、例えば、トイレブースに設置された開き戸の場合、開き戸を閉めようと開き戸を持った手が、閉め切る際に開き戸に残ってしまうと、開き戸の戸先部と、戸先部に対向する袖パネルの対向部との間で指を挟むことがある。
そこで、開き戸の戸先部と、袖パネルの対向部との間の隙間を、大きく開ければ、指を挟むことが防止できる。しかし、隙間を開けすぎると、この隙間からトイレブース内が見えてしまう。
観音開きする開き戸同士の間に隙間を設けた開き戸として、特許文献１，２に記載されたものが知られている。
【０００４】
特許文献１に記載の防火用扉は、両扉体の片方または両方の開放側端面の略中央部に沿って内側の空部と連なる幅広の遊孔を縦設し、かつ上記空部内に該空部の幅より小幅の帯状ガイド板を遊嵌して該ガイド板の略中央部より直角外方に突設した召し合わせ板を遊孔より前後可動的に突出せしめ閉扉時に各召し合わせ板を面接せしめると共に、両扉体面が同一面状にあるように構成したものである。
【０００５】
特許文献２に記載の両開き扉の召し合わせ構造は、基端側で回動自在に支持される２枚の扉と、２枚の扉の先端部に設けられた召し合わせ部とを備え、召し合わせ部が、扉の先端部に扉の全高にわたって上下方向に延びるように取付けられた強磁性材料の板体と、細長いシール部材とを備え、シール部材は、基部とフィンと基部に収容された磁石とを備えたものである。この両開き扉の召し合わせ構造は、磁石が磁力により板体に吸着されることにより、シール部が板体に取付けられ、フィンは、２枚の扉が閉鎖状態にあるとき互いの先端部分が係合し、２枚の扉の先端部の間の間隙を塞ぐように構成されている。
【先行技術文献】
【特許文献】
【０００６】
【特許文献１】実開昭６０−６６３５４号公報
【特許文献２】特開２０１１−４２９５６号公報
【考案の概要】
【考案が解決しようとする課題】
【０００７】
しかし、特許文献１に記載の防火用扉は、防火が目的であるため鋼板により形成されている。従って、この防火用扉は、開き戸同士の間に隙間を確保しつつ、召し合わせ板により隙間を塞いで向こう側が見えないようにしていても、召し合わせ板同士の間に指を挟むと、かなり痛い思いをすることに成り兼ねない。
【０００８】
特許文献２に記載の両開き扉の召し合わせ構造では、シール部の基部とフィンとがシリコンゴム等の可撓性材料によって、一体的に形成されている。そのため、特許文献２の召し合わせ構造では、特許文献１の防火扉とは異なり、フィン同士の間に指が挟まれても、シリコンゴム製のフィンが柔らかく指に当たるため安全である。
【０００９】
しかし、特許文献２に記載の両開き扉の召し合わせ構造では、回転中心となる基端から先端までの大きい扉でなければ、それぞれの扉が開く際に、扉の先端が描く円弧が小さいため、扉同士の間隔が狭いと、扉先端部の角部が衝突するおそれがある。扉同士が衝突しないように、間隔を拡げると、フィンの突出長さを長くする必要がある。また、フィンは柔らかいが、扉の先端部の角部は尖っているため、扉同士の間に指を挟むと、一層の痛さを感じる。
【００１０】
そこで本考案は、開き戸と対向部との間隔を狭くしても、開き戸を閉鎖する際の指が挟まり難い開き戸の召し合わせ構造を提供することを目的とする。
【課題を解決するための手段】
【００１１】
本考案は、開口部を閉鎖する開き戸と、前記開き戸が閉鎖状態のときの前記開き戸の戸先部と対向する対向部とによる開き戸の召し合わせ構造において、前記開き戸の戸先部と前記対向部との幅方向の中央部から対向方向へ、軟質部材による召し合わせ部が、前記開き戸が閉鎖状態のときの前後方向から見て、互いに重なるように、それぞれ突出して形成され、前記戸先部と前記対向部との幅方向の両端部が、上下方向に沿って凸状の円弧面により形成されたことを特徴とする。
【００１２】
本考案の開き戸の召し合わせ構造によれば、戸先部に軟質部材により形成された召し合わせ部が設けられており、対向部にも軟質部材により形成された召し合わせ部が設けられている。そのため、召し合わせ部に指が挟まれても、硬質のもの同士により直接挟まれるよりは痛みが軽減される。また、戸先部と対向部とは、両端部が凸状の円弧面により形成されているため、端部同士の間隔は角部に向かって徐々に拡がっている。従って、端部同士の隙間は、中央部の隙間より拡がるので、使用者が、戸先部と対向部との端部同士の間に指を挟みそうになっても、端部同士の隙間に指が位置していても、指が挟まり難い。
【００１３】
前記戸先部側の前記召し合わせ部が、幅方向の一側に寄った位置から突出し、前記対向部側の前記召し合わせ部が、幅方向の他側に寄った位置から突出することが望ましい。
開き戸が閉じる際に、戸先部側の召し合わせ部が、対向部側の召し合わせ部に勢いよく衝突することを回避することができる。
【００１４】
前記戸先部側の前記召し合わせ部が、一側方向に傾斜して突出し、前記対向部側の前記召し合わせ部が、他側方向に傾斜して突出していることが望ましい。
戸先部側の召し合わせ部と、対向部側の召し合わせ部とが押圧し合うことによる劣化を軽減することができる。
【００１５】
前記開き戸が閉鎖状態のときに、前記戸先部側の前記召し合わせ部と、前記対向部側の前記召し合わせ部との間に隙間が形成されていることが望ましい。そうしたことにより、指が挟まれたときの押圧力を更に緩和させることができると共に、召し合わせ部同士とが接触しないため、それぞれの召し合わせ部の変形を防止することができる。
【００１６】
前記召し合わせ部が、中空部材により形成されていると、指への衝撃をさらに緩和させることができる。
【００１７】
前記召し合わせ部が、頂部を対向方向に突出させた、水平断面が三角形状に形成されていることが望ましい。戸先部および対向部への召し合わせ部の取り付け位置を少しずらすだけで、突起部の頂部をずれて位置させることができる。従って、突起部がわずかにずれていることで、召し合わせ部を大きく突出させなくても、開き戸を前後方向から見たときに突起部を重なり合わせることができる。
【００１８】
前記戸先部および前記対向部の幅方向の中央部には、上下方向に延びる嵌合溝が形成され、前記召し合わせ部は、頂部を対向方向に突出させた突起部と、前記突起部の基端部に形成され、前記嵌合溝に嵌合する嵌合部とを備えていることが望ましい。
戸先部および対向部に形成された嵌合溝に、嵌合部を嵌め込むことで、突起部を対向方向に突出させた召し合わせ部を戸先部および対向部に容易に設けることができる。
【考案の効果】
【００１９】
本考案によれば、召し合わせ部に指が挟まれても、硬質のもの同士により直接挟まれるよりは痛みを軽減することができ、使用者が、戸先部と対向部との端部同士の間に指を挟みそうになっても、端部同士の隙間に指が位置していても、指が挟まり難い。従って、本考案は、開き戸と対向部との間隔を狭くしても、開き戸を閉鎖する際の指が挟まり難くすることができる。
【図面の簡単な説明】
【００２０】
【図１】本考案の実施の形態に係る開き戸の召し合わせ構造を適用したトイレブースの正面図である。
【図２】図１に示すトイレブースの開き戸と袖パネルとの一部拡大図である。
【図３】図１に示すトイレブースを上方から見た図であり、開き戸が閉鎖状態の図である。
【図４】図３に示す召し合わせ部を説明するための図であり、（Ａ）は開き戸の召し合わせ部の図、（Ｂ）は対向部の召し合わせ部の図である。
【図５】図３に示す開き戸が閉鎖動作するときの図である。
【考案を実施するための形態】
【００２１】
本考案の実施の形態に係る開き戸の召し合わせ構造について、図面に基づいて説明する。
図１に示す開き戸１０は、トイレブース２０に使用される。トイレブース２０は、開き戸１０と、トイレブース２０の外側から開き戸１０を見て、開き戸１０の左側に位置する袖パネル３０と、開き戸１０の右側に位置する軸受パネル４０とにより、トイレブース２０の開口部が閉鎖される。袖パネル３０から開き戸１０を経由して軸受パネル４０までの上方には、笠木部材５０が跨っている。
【００２２】
図１から図３に示すように、開き戸１０は、戸本体１０１と、上框部１０２と、下框部１０３と、戸尻部１０４と、戸先部１１０とを備えている。戸本体１０１には、取手１０６と、スライドラッチ１０７と、戸当り部材１０８とが取り付けられている。
戸本体１０１は、矩形状の木製パネルである。上框部１０２は、戸本体１０１の上端に、開き戸１０の幅方向Ｆ１に沿って設けられている。下框部１０３は、戸本体１０１の下端に、開き戸１０の幅方向Ｆ１に沿って設けられている。戸尻部１０４は、戸本体１０１の戸尻側に、上下方向にＦ２に沿って設けられている。戸先部１１０は、戸本体１０１の戸先側に上下方向にＦ２に沿って設けられている。
上框部１０２と下框部１０３と戸先部１１０と戸尻部１０４とは、金属製である。本実施の形態では、アルミ製である。
【００２３】
戸尻部１０４は、戸尻部１０４の幅方向Ｆ３（開き戸１０の厚み方向）の両端部が上下方向Ｆ２に沿って凸状の円弧面により形成されている。
戸先部１１０は、幅方向Ｆ３（開き戸１０の厚み方向）の両方の端部１１１が上下方向Ｆ２に沿って凸状の円弧面により形成されている。端部１１１が凸状の円弧面により形成されていることで、角部が面取りされたＲ面となっている。戸先部１１０の中央部には、軟質部材による召し合わせ部１２０が設けられている。
【００２４】
図３および図４（Ａ）に示すように、この召し合わせ部１２０は、戸先部１１０の中央部に上下方向Ｆ２に沿って形成された嵌合溝１１２に嵌合している。
嵌合溝１１２は、戸先部１１０の中央位置より幅方向Ｆ３の一側に寄った位置に形成されている。本実施の形態では、一側はトイレブース２０の外側としている。従って、他側は、トイレブース２０の内側である。嵌合溝１１２は、両方の開口縁部１１２ａが互いに接近する方向に突出することで、開口部の幅が溝内の幅より狭く形成されている。
【００２５】
召し合わせ部１２０は、ゴム製の中空部材により形成されている。召し合わせ部１２０は、頂部１２１ａを対向方向Ｆ４に突出させた突起部１２１と、突起部１２１の基端部に形成され、嵌合溝１１２に嵌合する嵌合部１２２とを備えている。
本実施の形態では、突起部１２１は水平断面が三角形状に形成されている。召し合わせ部１２０は、一側方向に傾斜して突出している。本実施の形態では、召し合わせ部１２０は三角形状に形成されているため、基端側となる底辺１２１ｂの中心から、頂部１２１ａへ延びる仮想直線Ｌ１が一側方向に傾斜するように形成されている。
【００２６】
図１および図３に示すように、取手１０６は、開閉の際に、トイレブース２０の使用者が把持して、開き戸１０を操作するものである。取手１０６は、戸本体１０１の外側の戸先側に配置されている。この取手１０６は、取手１０６の反対面側となる戸本体１０１の内側に設けられたスライドラッチ１０７に連動して、使用者の有無を表示する表示機能付き取手である。
戸当り部材１０８は、戸本体１０１の上部に、開き戸１０が閉鎖するときに笠木部材５０に当接して、開き戸１０が笠木部材５０を通過して反対側へ回転しないように取り付けられている。
また、開き戸１０の戸尻側の上部および下部には、とぼそが形成され、上部のとぼそには、グラビティヒンジ１０９が埋設されている。
【００２７】
図１から図３に示すように、袖パネル３０は、パネル本体３１と、対向部３２とを備えている。
パネル本体３１は、矩形状の木製パネルである。対向部３２は、開き戸１０の戸先部１１０と同様に、幅方向Ｆ３（開き戸１０の厚み方向と同じ）の両方の端部３２１が上下方向Ｆ２（図１参照）に沿って凸状の円弧面により形成されている。端部３２１が凸状の円弧面により形成されていることで、角部が面取りされたＲ面となっている。対向部３２の中央部には、軟質部材による召し合わせ部３３が設けられている。
【００２８】
図３および図４（Ｂ）に示すように、この召し合わせ部３３は、対向部３２の中央部に上下方向Ｆ２に沿って形成された嵌合溝３２２に嵌合している。嵌合溝３２２は、対向部３２の中央位置より幅方向Ｆ３の他側に寄った位置に形成されている。嵌合溝３２２は、両方の開口縁部３２２ａが互いに接近する方向に突出することで、開口部の幅が溝内の幅より狭く形成されている。
【００２９】
召し合わせ部３３は、ゴム製の中空部材により形成されている。召し合わせ部３３は、戸先部１１０の召し合わせ部１２０と同様に、頂部３３１ａを対向方向Ｆ５に突出させた突起部３３１と、突起部３３１の基端部に形成され、嵌合溝３２２に嵌合する嵌合部３３２とを備えている。
本実施の形態では、突起部３３１は水平断面が三角形状に形成されている。召し合わせ部３３は、一側方向に傾斜して突出している。本実施の形態では、召し合わせ部３３は三角形状に形成されているため、基端側となる底辺３３１ｂの中心から、頂部３３１ａへ延びる仮想直線Ｌ２が他側方向に傾斜するように形成されている。
【００３０】
図１および図３に示すように、軸受パネル４０は、矩形状のパネル本体４１と、開き戸１０の戸尻部１０４に対向するアルミエッジ部材４２と、開き戸１０の戸尻側の上部と下部とで、開き戸１０を回転自在に支持する一対の支持部材４３（図３参照）とを備えている。
アルミエッジ部材４２の幅方向Ｆ３の両方の端部には、戸尻部１０４に向かって突出した一対の突出部４２１が形成されている。一対の突出部４２１の中心側に向く内側面４２１ａは、対向方向Ｆ６に向う従ってその間隔が徐々に拡がるように傾斜面に形成されている。また、トイレブース２０の外側または内側を向く一対の突出部４２１の外側面４２１ｂは、パネル本体４１の板面と平行に形成されている。
【００３１】
支持部材４３は、パネル本体４１の上部および下部から、開き戸１０の戸尻側に延びている。上部側の支持部材４３は開き戸１０のグラビティヒンジ１０９に接続されている。下部側の支持部材４３は、先端部に形成された軸部が開き戸１０のとぼそに嵌め込まれている。
【００３２】
以上のように構成された本考案の実施の形態に係る開き戸の召し合わせ構造について、その使用状態を、図面に基づいて説明する。
図３に示すように、開き戸１０が閉鎖状態であるときには、開き戸１０の戸先部１１０と、袖パネル３０の対向部３２との間に隙間Ｓ１がある。しかし、開き戸１０の召し合わせ部１２０と、袖パネル３０の召し合わせ部３３とが、使用者が進退する前後方向Ｆ７から見て互いに重なるように、それぞれ突出して形成されている。従って、召し合わせ部１２０と、召し合わせ部３３とが、非接触状態で隙間Ｓ２があったとしても、他の使用者が、トイレブース２０の外側から、隙間Ｓ１を通して、内側を覗くことを防止することができる。
【００３３】
戸先部１１０と対向部３２との幅方向Ｆ３の両端部（端部１１１，端部３２１）が、上下方向Ｆ２に沿って凸状の円弧面により形成されているため、開き戸１０を開いたときに、戸先部１１０が対向部３２に接触しない。従って、開き戸１０の戸先部１１０を、袖パネル３０の対向部３２に接近させることができる。そのため、開き戸１０の召し合わせ部１２０と、袖パネル３０の召し合わせ部３３とが、大きく突出したものとしなくてもよい。
【００３４】
図５に示すように、使用者が、この開き戸１０を開き、閉めようとするときに、開き戸１０を持つ手が残り、閉じようとする開き戸１０と袖パネル３０との間に指が位置することがある。しかし、本実施の形態に係るトイレブース２０には、戸先部１１０に、軟質部材により形成された召し合わせ部１２０が設けられており、袖パネル３０の対向部３２にも、軟質部材により形成された召し合わせ部３３が設けられている。そのため、召し合わせ部１２０，３３に、指が挟まれても、硬質の戸先部１１０と対向部３２とに直接挟まれるよりは痛みが軽減される。
【００３５】
また、戸先部１１０と対向部３２とは、両端部（端部１１１，端部３２１）が、凸状の円弧面により形成されているため、端部１１１，３２１同士の間隔は、角部に向かって徐々に拡がっているため、端部１１１，３２１同士の隙間は、中央部の隙間より拡がっている。従って、使用者が、戸先部１１０と対向部３２との端部１１１，３２１同士の間に指を挟みそうになり、端部１１１，３２１同士の隙間に指が位置していても、指が挟まり難い。
更に、万が一に、指が端部１１１，３２１同士の間に挟まれても、端部１１１，３２１が円弧面により形成されているため、指への衝撃が緩和される。従って、使用者の誤操作により、開き戸１０と袖パネルと間に指を挟んでも、指への負担を軽減することができる。
【００３６】
戸先部１１０側の召し合わせ部１２０は、幅方向Ｆ３向の一側に寄った位置から突出し、対向部３２側の召し合わせ部３３は、幅方向Ｆ３の他側に寄った位置から突出している。そのため、開き戸１０が閉じる際に、召し合わせ部１２０が召し合わせ部３３に勢いよく衝突することを回避することができる。
【００３７】
戸先部１１０側の召し合わせ部１２０は、一側方向に傾斜して突出し、対向部３２側の召し合わせ部３３は、他側方向に傾斜して突出している。そのため、召し合わせ部１２０と召し合わせ部３３とが押圧し合うことによる劣化を軽減することができる。
【００３８】
図３に示すように、開き戸１０が閉鎖状態のときに、戸先部１１０側の召し合わせ部１２０と対向部３２側の召し合わせ部３３との間に隙間Ｓ２が形成されている。そうすることにより、指が挟まれたときの押圧力を更に緩和させることができると共に、召し合わせ部１２０，３３同士が接触しないため、それぞれの召し合わせ部１２０，３３の変形を防止することができる。
【００３９】
召し合わせ部１２０，３３が中空部材により形成されていることで、指への衝撃をさらに緩和させることができる。
また、図４（Ａ）および同図（Ｂ）に示すように、召し合わせ部１２０，３３は、頂部１２１ａ，３３１ａを対向方向Ｆ４，Ｆ５に突出させた、水平断面が三角形状に形成されているため、戸先部１１０および対向部３２への召し合わせ部１２０，３３の取り付け位置を少しずらすだけで、突起部１２１，３３１の頂部１２１ａ，３３１ａをずれて位置させることができる。従って、突起部１２１，３３１がわずかにずれていることで、召し合わせ部１２０，３３を大きく突出させなくても、開き戸１０を前後方向Ｆ７から見たときに突起部１２１，３３１を重なり合わせることができる。
【００４０】
戸先部１１０および対向部３２の幅方向Ｆ３の中央部には、上下方向に延びる嵌合溝１１２，３２２が形成されている。召し合わせ部１２０，３３は、頂部１２１ａ，３３１ａを対向方向Ｆ４，Ｆ５に突出させた突起部１２１，３３１と、突起部１２１，３３１の基端部に形成され、嵌合溝１１２，３２２に嵌合する嵌合部１２２，３３２とを備えている。従って、戸先部１１０および対向部３２に形成された嵌合溝１１２，３２２に、嵌合部１２２，３３２を嵌め込むことで、突起部１２１，３３１を対向方向Ｆ４，Ｆ５に突出させた召し合わせ部１２０，３３を戸先部１１０および対向部３２に容易に設けることができる。
【００４１】
なお、本実施の形態では、対向部３２は、固定された袖パネル３０に形成されたものであったが、使用者が進退する際に開き戸１０と共に観音開きする開き戸の戸先部としたり、通常はフランス落としにより固定され、荷物の搬入などの際に開かれる子扉の戸先部としたり、戸枠としたりすることができる。
【００４２】
また、召し合わせ部１２０，３３は軟質部材により形成され、戸先部１１０や対向部３２と別部材により形成されていたが、召し合わせ部１２０および戸先部１１０と、召し合わせ部３３および対向部３２とを軟質部材により形成して一体的に形成してもよい。
【産業上の利用可能性】
【００４３】
本考案は、片開き戸や両開き戸に好適である。特に、外部から内部が覗かれることが問題になるトイレブースには最適である。
【符号の説明】
【００４４】
１０  開き戸
１０１  戸本体
１０２  上框部
１０３  下框部
１０４  戸尻部
１０６  取手
１０７  スライドラッチ
１０８  戸当り部材
１０９  グラビティヒンジ
１１０  戸先部
１１１  端部
１１２  嵌合溝
１１２ａ  開口縁部
１２０  召し合わせ部
１２１  突起部
１２１ａ  頂部
１２１ｂ  底辺
１２２  嵌合部
２０  トイレブース
３０  袖パネル
３１  パネル本体
３２  対向部
３２１  端部
３２２  嵌合溝
３２２ａ  開口縁部
３３  召し合わせ部
３３１  突起部
３３１ａ  頂部
３３１ｂ  底辺
３３２  嵌合部
４０  軸受パネル
４１  パネル本体
４２  アルミエッジ部材
４２１  突出部
４２１ａ  内側面
４２１ｂ  外側面
４３  支持部材
５０  笠木部材
Ｆ１，Ｆ３  幅方向
Ｆ２  上下方向
Ｆ４，Ｆ５，Ｆ６  対向方向
Ｆ７  前後方向
Ｌ１，Ｌ２  仮想直線
Ｓ１，Ｓ２  隙間
【図１】
0003199138.tif 000003
【図２】
0003199138.tif 000004
【図３】
0003199138.tif 000005
【図４】
0003199138.tif 000006
【図５】
0003199138.tif 000007